(57)【要約】  フィラメントがクレーなどのマイルド研磨添加剤を含有し、そしてマイルドに捲縮している、化学的に先細にされた合成フィラメントを使用するフィラメント、ブラシおよびアプリケーションパッケージ。この合成フィラメントは指定表面への塗布のための製品捕捉を向上させる。
2008527198.tif 000002
【特許請求の範囲】
【請求項１】
クレー添加剤を含有するポリマー材料を含むフィラメントであって、前記フィラメントの長さに沿って捲縮し、そして化学的に先細にされている端を有することを特徴とするフィラメント。
【請求項２】
化学的に先細にされた両端を有することを特徴とする請求項１に記載のフィラメント。
【請求項３】
ポイントａからポイントｂに製品を移すために製品を捕捉する改良された能力を有することを特徴とする請求項１に記載のフィラメント。
【請求項４】
前記フィラメントポリマーがポリエステル、ナイロン、熱可塑性エラストマーおよびポリオレフィンからなる群から選択されることを特徴とする請求項１に記載のフィラメント。
【請求項５】
前記フィラメントポリマーがＰＢＴであることを特徴とする請求項４に記載のフィラメント。
【請求項６】
前記フィラメントポリマーがＰＥＴであることを特徴とする請求項４に記載のフィラメント。
【請求項７】
前記ナイロンが６、６６、６１０、６１２および１１からなる群から選択されることを特徴とする請求項４に記載のフィラメント。
【請求項８】
約０．００１インチ〜０．０１０インチの範囲のベース直径を有することを特徴とする請求項１に記載のフィラメント。
【請求項９】
請求項１〜８のいずれか一項に従って製造したフィラメントを有することを特徴とするブラシ。
【請求項１０】
メイクアップを施すための、請求項９に記載のブラシ。
【請求項１１】
継ぎ手および柄を含み、前記フィラメントが継ぎ手に固定され、そして前記継ぎ手が柄に連結されることを特徴とする請求項１０に記載のブラシ。
【請求項１２】
頬紅をつけるための、請求項１１に記載のブラシ。
【請求項１３】
前記フィラメントが、複数のフィラメントをそれらの中間点で曲げ、そして前記中間点を柄に締め付けることによってブラシを形成することを特徴とする請求項１１に記載のブラシ。
【請求項１４】
前記フィラメントが止め金で柄に固定されることを特徴とする請求項１３に記載のブラシ。
【請求項１５】
化学的に先細にされた端の反対側に自由端を有する複数のフィラメントを含み、前記自由端が前記ブラシの柄中に挿入され、そしてヒートセッティングまたはエポキシによって固定されることを特徴とする請求項９に記載のブラシ。
【請求項１６】
マニキュア液をつけるための、請求項１３〜１５のいずれか一項に記載のブラシ。
【請求項１７】
前記ブラシが前記フィラメントを固定するための芯を形成する２本のねじれたワイヤーを有し、そして前記フィラメントがねじれたワイヤー芯から外側へ放射状に広がっていることを特徴とする請求項１０に記載のブラシ。
【請求項１８】
マスカラを塗るための、請求項１７に記載のブラシ。
【請求項１９】
請求項１８に記載のブラシを含み、そしてリザーバ、およびマスカラブラシパッケージを形成するブラシから過剰のマスカラを除去するためのメカニズムをさらに含むことを特徴とする化粧品パッケージ。
【発明の詳細な説明】
【技術分野】
【０００１】
本発明は一般に合成フィラメントに関する。より具体的には、本発明は、クレーなどのマイルド研磨添加剤と化学的に先細にされたフィラメント端とを有する捲縮した合成フィラメントに関する。
【背景技術】
【０００２】
化粧ブラシなどの現在のブラシは、天然刷毛またはナイロンもしくはポリエステルなどの合成フィラメントでできている。天然刷毛での問題は、供給業者毎およびバッチ毎の直径、長さおよび全体品質の非一貫性である。一貫した直径の天然刷毛を得るために、コストの大幅な増加がある。天然刷毛の使用での別の問題は、それらがシラミおよびシラミ卵を含有する傾向を有することである。従って、刷毛は、天然刷毛でのシラミの存在をなくすための衛生目的のために処理されなければならない。さらに、多くの人々は天然刷毛に対してアレルギー反応を有する。
【０００３】
合成フィラメントは天然刷毛の問題の多くを克服できることが知られており、天然刷毛の代わりに合成品を用いる様々な試みが行われてきた。しかしながら、合成フィラメントの使用もまた困難に直面している。合成刷毛は天然刷毛のソフトさ、きめおよび全体外観を持たない。合成フィラメントが天然刷毛と同等の剛性を有するように製造される場合、フィラメントの端はブラシから望まれるソフトな感触を提供しないであろう。逆に、フィラメント剛性がソフトな感触を生み出すために下げられる場合、フィラメントは製品の十分な捕捉および沈着のために必要とされる剛性を持たないであろう。さらに、幾つかの合成刷毛ブラシ（特に、マスカラなどのメイクアップを施すためのもの）は、ブラシが十分に小さい直径の刷毛から製造されなかったときに、敏感な目に炎症をもたらすことが分かってきた。化粧ブラシでの小直径の刷毛の使用は、刷毛が余りにも少ない製品を捕捉し、化粧品を皮膚上へ単に「放出する」だけなので受け入れられないこともまた分かってきた。
【０００４】
次の開示は本発明の様々な態様に関係があり、次の通り簡単にまとめられ得る。
【０００５】
ブレズラー（Ｂｒｅｚｌｅｒ）らに付与された米国特許公報（特許文献１）は、ケイ酸アルミニウムを含有する熱可塑性エラストマー組成物から製造され、そしてモノフィラメントを機械的に捲縮させる合成モノフィラメントを開示している。
【０００６】
天然刷毛のように皮膚にソフトに感じられ、外観が良く、天然汚染物質がなくて製造前の殺菌を必要としない、化粧ブラシおよび他のブラシに使用できる刷毛を開発することが望ましい。
【０００７】
【特許文献１】米国特許第５，９７６，６９２号明細書
【特許文献２】米国特許第６，２８０，１１３号明細書
【発明の開示】
【課題を解決するための手段】
【０００８】
手短に言えば、そして本発明の一態様に従って、クレー添加剤を含有するポリマー材料を含むフィラメントであって、フィラメントの長さに沿って捲縮し、そして化学的に先細にされている端を有するフィラメントが提供される。
【０００９】
本発明の別の態様に従って、クレー添加剤を含有するポリマー材料を含むフィラメントを有するブラシであって、前記フィラメントがフィラメントの長さに沿って捲縮し、そして化学的に先細にされている端を有するブラシが提供される。
【００１０】
本発明の別の態様に従って、クレーなどのマイルド研磨添加剤を有する捲縮した化学的に先細にされた合成フィラメントを使用するアプリケーションパッケージが提供される。アプリケーションパッケージは、マスカラ、マニキュア液および頬紅などのメイクアップを施すためのものである。製品を塗るために使用されるフィラメントは、ほぼそれらの中間点でフィラメントを曲げることによってブラシアプリケーター柄に取り付けることができる。または、フィラメントは、柄への取り付けのための非先細端を用いて曲げることなくブラシアプリケーター柄に取り付けることができる。アプリケーションパッケージでのフィラメントは、繊維を締め付けるための止め金、エポキシ、ヒートセッティングまたは任意の他の公知手段によって柄に取り付けることができる。
【００１１】
本発明は、添付の図面に関連して解釈される次の詳細な説明からより十分に理解されるであろう。
【００１２】
本発明はその好ましい実施形態に関連して記載されるであろうが、本発明を当該実施形態に限定することが意図されないことは理解されるであろう。一方、添付の特許請求の範囲によって規定されるような本発明の趣旨および範囲内に含まれ得るすべての代案、変更、および等価物を包含することが意図される。
【発明を実施するための最良の形態】
【００１３】
本発明は、天然刷毛の代わりとなるソフトさ、きめおよび一様でない波状外観を有する化学的に先細にされた合成モノフィラメントに関する。本発明は、それがポリマー材料、クレーなどのマイルドな研磨添加剤、マイルドな捲縮、およびシングルまたはダブルの化学的に先細にされた端の組み合わせを組み入れるという点において天然刷毛代替品として市場で現在販売されているものとは異なり、その改良である。本発明は、ブラシ用の現在入手可能な合成フィラメント（すなわち、クレー（きめのある表面）、合成の化学的に先細にされたそしてマイルド捲縮を持たないフィラメント）より優れたフィラメントの向上した「捕捉」能力を示す。
【００１４】
ここで、本発明の詳細な説明のための図面について言及する。図１ａは、マイルドな研磨添加剤３０を有する化学的に先細にされたシングルエンド波状合成フィラメント１０の略図を開示する。図１ｂは、マイルドな研磨添加剤３０を有する化学的に先細にされたダブルエンド６０、６１波状合成フィラメント１０の略図を開示する。
【００１５】
本発明の合成モノフィラメントまたは刷毛はポリマー材料から形成される。ポリマー材料はポリエステル、ナイロン、熱可塑性エラストマーおよびポリオレフィンであることができる。本発明で用いるポリエステルには、ＰＢＴ（ポリブチレンテレフタレート）またはＰＥＴ（ポリエチレンテレフタレート）ならびにＰＥＴ／ＰＢＴブレンドおよびコポリマーが含まれる。本発明で用いるナイロン材料には、ナイロン６、６６、６１０、６１２、および１１ならびにこれらの任意のブレンドまたはコポリマーが含まれる。フィラメントの好ましい実施形態はＰＢＴポリエステルから製造され、外観をくすませるそしてフィラメントの捕捉を向上させるためのマイルドな研磨材を含有する。フィラメントはまた、ブラシの外観を改良するそしてまた捕捉を向上させるためのマイルドな捲縮を含有する。フィラメントは次に、非常に細かい先端を形成しそしてブラシで非常にソフトな感触を提供するために化学的に先細にされる。化学的に先細にされたシングルまたはダブル端６０、６１は望ましいソフト端を提供するだけでなく、材料の捕捉も向上させる。
【００１６】
マイルドな研磨添加剤の好ましい実施形態はクレーの使用である。本発明のフィラメントは、１．５ミクロンの平均粒度の５重量％含水カオリンクレーで作り出すことができる。クレー添加剤３０は、特にブラシに使用されるときに、フィラメント１０の「捕捉」能力に役立つフィラメントからの極めて小さい突起を形成する。例えば、本発明のフィラメントは頬紅ブラシ８０または９０に使用されるときに、皮膚または所望の表面（すなわちポイントｂ）に移すためまたは塗布のための頬紅粉おしろい（すなわちポイントａ）の向上した捕捉を可能にする。含水カオリンクレーの代わりに使用することができる他の成分には、カ焼カオリンクレー、炭酸カルシウム、ケイ酸アルミニウム、および酸化アルミニウムが含まれる。粒度は０．３〜５ミクロンの範囲である。該範囲は、十分な外観インパクトを提供しそして捕捉を向上させるが、押出の間ずっと加工問題を生み出さないために２〜１０重量％、好ましくは２〜５重量％である必要がある。
【００１７】
本発明のブラシは１９０ｋｓｉの曲げ弾性率より大きい剛性を有する。本発明のフィラメントは天然刷毛のそれに同等の曲げ弾性率を有する。曲げ弾性率は約４００〜７００ｋｓｉの範囲であることが好ましい。曲げ弾性率は約５００〜７００ｋｓｉの範囲であることがより好ましい。
【００１８】
フィラメント１０は、捲縮振幅４０を提供する標準または公知の捲縮法を用いて波状であるかまたは捲縮している。捲縮振幅４０は所望の頻度（ウェーブ／インチ）で現れる。ウェーブ頻度は、参照番号５０で図１ａおよび１ｂに示されている。波状フィラメントは１〜２ミルの振幅およびインチ当たり４〜８ウェーブの頻度を有すると定義される。本発明の波状フィラメントまたはマイルド捲縮フィラメントは、標準方法を用いて形成することができる。マイルドな捲縮または波状フィラメントを形成する公知方法を用いることができる。かかる一方法は米国特許公報（特許文献１）に記載されており、それは幾つかの工程を含む合成モノフィラメントの一般的な製造方法を記載しており、そして参照により本明細書に援用される。第１工程は、本明細書に記載される範囲によって包含される相対割合でクレーを含有する上記ポリマー材料で形成されるモノフィラメントを押し出すことを含む。この目的のために、モノフィラメント用のいかなる一般的なポリマー押出法も用いることができ、用いられる特定の押出手順は決して本発明による方法を限定しない。かかる押出法はまた、フィラメントロープの押出、急冷、延伸および弛緩の通常の工程を含むであろう。弛緩工程は、モノフィラメントを約３２０°Ｆ（１６５℃）〜約３４７°Ｆ（約１７５℃）で１０〜約２０秒間、最も有利には約３３８°Ｆ（約１７０℃）で約２０秒間加熱することを含む順化プロセスを含む。いったんこれらの工程が完了したら、モノフィラメントは、一様でない波状外観を実現するためにさらにポスト順化されるか捲縮されるかのどちらかであってもよい。ポスト順化および捲縮プロセスの両方とも、フィラメントロープおよび最終ブラシで非常に自然に見えるウェーブを実現する。
【００１９】
フィラメントは一端でベース直径２０を有する。フィラメントのベース直径は約０．００１インチ〜０．０１０インチ直径の範囲である。この直径範囲は化粧ブラシおよび他のメイクアップブラシでの使用に好ましい。ベース直径は長さによって変わらない。
【００２０】
フィラメントの化学的に先細にされた部分は０．０４インチ〜０．４インチの長さを有し、０．００１未満の先端直径を有するであろう。化学的に先細にされたフィラメントについて言及されるが、本発明は、フィラメントの所望の先端直径を提供するであろう機械的先細化などの先細化の任意の手段によって行うことができる。
【００２１】
図２〜５は、マイルドな研磨添加剤を含有する化学的に先細にされた捲縮合成フィラメントを使用して製造されたブラシ製品の例を示す。これらには、マニキュア液ブラシ、頬紅ブラシおよびマスカラブラシが含まれる。これらのタイプのブラシおよび他のものでの本発明は、ブラシフィラメントが容器またはリザーバ（すなわちポイントａ）からマニキュア液、粉おしろいおよびマスカラなどの材料を「捕捉」し、そして当該材料を爪、顔面またはまつげなどの表面（すなわちポイントｂ）に移す能力を向上させる。
【００２２】
ここで、それはクレー添加剤を有する化学的に先細にされた合成波状フィラメントのマニキュア液ブラシの略図を示す図２について言及する。マニキュア液ブラシ７０は、ステム７４が取り付けられているキャップまたは柄７２からなる。ステム７４は通常圧入でキャップ７２に固定されるか、またはそれは適所に接着することができる。フィラメント７６は、一群のフィラメントをそれらの中間部分（フィラメント長さの４０〜６０％）で折り曲げ、そして曲がった部分をステム７４の端に挿入することによってステムに取り付けられる。フィラメントは止め金で適所に保持される。
【００２３】
ここで、それは化学的に先細にされた端８８を継ぎ手付き（ｆｅｒｒｕｌｅｄ）柄中に有するクレー添加剤を含有する、波状フィラメント８６の頬紅ブラシ８０の略図を示す図３について言及する。ブラシは、継ぎ手８４（金属またはポリマーの）が取り付けられている柄８２（木製または合成の）からなる。継ぎ手８４は、機械的締め具（釘）によってかエポキシによってかのどちらかで柄８２に固定される。継ぎ手は本発明のフィラメントを保持し、それらは、エポキシ、ヒートセッティング、またはフィラメントを締め付けるまたは固定する他の公知方法のいずれかによって継ぎ手８４に固定される。
【００２４】
ここで、それはクレー添加剤を有する化学的に先細にされた波状フィラメント９４の代替頬紅ブラシ９０の略図を示す図４について言及する。フィラメントはエポキシまたはヒートセッティングによって柄９２に固定される。
【００２５】
ここで、クレー添加剤を有する化学的に先細にされた波状フィラメントのマスカラブラシ１００の略図を示す、図５について言及する。ブラシはプラスチックステム１０４中に挿入される。プラスチックステムは圧入を用いてキャップ１０２に取り付けられる。ブラシは、２本の金属ワイヤーを、フィラメント１０８がねじれたワイヤーによって捕捉されそして固定されるような方法で一緒に撚ることによって形成される。フィラメントのフィラメント自由端はねじれた金属芯１０６から外側へ放射状に広がっている。
【００２６】
図６〜７は、マイルドな研磨材入りの化学的に先細にされた捲縮合成フィラメントを使用したブラシパッケージを示す。本発明のこれらのブラシパッケージには、図６に示されるようなマスカラブラシパッケージおよび図７に示されるマニキュア液ブラシパッケージが含まれる。
【００２７】
ここで、マスカラブラシパッケージまたは塗布システムの実施形態の断面図を示す、図６について言及する。マスカラブラシパッケージは、マイルドな研磨材入りの化学的に先細にされた捲縮合成フィラメントのブラシ、リザーバ１０３、および塗布前にマスカラブラシから過剰の製品を除去するためのワイパーメカニズム１１８を含む。
【００２８】
マスカラブラシパッケージ１１０または図１の塗布システムは、リザーバ１０３中に含有されるマスカラ塗布装置１００を有する。塗布装置は図５に示される。塗布装置１００は、例えばキャップ１０２をリザーバ１０３のネック１０５上へねじ込むことによって取り付けることができる。ネックは、キャップ１０２の内面の下方部分に形成された補完的なねじ山と協働することができる外側ねじ山１０７を有する。ネック１０５は、開口部１１１を画定する自由な円形エッジ１１３を有する。弾性変形可能な材料で形成されたワイパー１１８がこの開口部に取り付けられる。ワイパーまたは絞り取り（ｗｒｉｎｇ−ｏｕｔ）部材１１８は、チューブ形状のリザーバ１０３に面する端を有する、指ぬきの形態にある。端は、塗布装置１００がリザーバから引き出されるときに、過剰の製品１０１（例えばマスカラ）をステム１０４および塗布フィラメント１０８から除去することができる円形のワイピングリップを形成するように開いている。貯蔵場所において、ワイパー１１８はそれを通過するステム１０４を有する。マニキュア液パッケージ実施形態のより詳細な説明については、参照により本明細書に援用される米国特許公報（特許文献２）を参照されたい。
【００２９】
ここで、マニキュア液パッケージまたは塗布システム１２０の実施形態の断面図を示す、図７について言及する。マニキュア液塗布システム１２０は、リザーバ１２４と握りカラー、または柄７２を備えたマニキュア液アプリケーター７０とを含む。好ましくはガラスでできているリザーバ１２４は、表面領域に塗布されるべきである液体または粘稠な製品１２５（例えばマニキュア液）を含有する。リザーバ１２４は開口部１２６を画定するネック１２１を有する。ネック１２１は、カラー７２の内側で補完的なねじ山１０９と協働することができるねじ山１２２を有する。カラー７２の外側は柄と理解することができる。
【００３０】
図７について引き続き言及すると、カラー７２はステム７４の一端に取り付けられ、ステム７４の反対端は、本発明のフィラメント７６を有する塗布要素に連結される。塗布システム１２０がカラー７２をリザーバ１２４上へねじ込むことによって閉じられるとき、フィラメントの房７６は製品１２５中へつかる。ユーザーが幾らかの製品１２５を表面領域に塗布したいとき、ユーザーはキャップ７２を回して外し、塗布装置７０をリザーバから引き出す。塗布装置が過剰の製品１２５を保持しているとき、ユーザーはそれをネック１２１の自由エッジで拭って過剰の製品を絞り取る。塗布要素は好ましくは多数の絞り取りパス後でさえ十分に液を含んだままであり、滴を形成することなくマニキュア液を落ちないように留める良好な能力を有することに留意されたい。マニキュア液パッケージ実施形態のより詳細な説明については、参照により本明細書に援用される米国特許公報（特許文献２）を参照されたい。
【実施例】
【００３１】
本発明での合成フィラメントを、ＰＢＴポリエステル（本願特許出願人によって供給されるクラスチン（Ｃｒａｓｔｉｎ）（登録商標））で製造し、モノフィラメント用の典型的な押出法を用いて押し出した。ＰＢＴ樹脂を１．２ミクロンの平均粒度の５％のカオリンクレーとブレンドし、ブレンドを二軸スクリュー押出機（ワーナー・アンド・フライデラー（Ｗｅｒｎｅｒ  ＆  Ｐｆｌｅｉｄｅｒｅｒ）によって製造された４３ｍｍ二軸スクリュー押出機）を用いて溶融させた。フィラメントを、メルトポンプ（ゼニス・ポンプス（Ｚｅｎｉｔｈ  ｐｕｍｐｓ）によって製造された）を用いて２３５℃の温度で０．０１８インチ直径毛細管を含有する紡糸口金プレートを通して押し出した。生じたモノフィラメントを次に急冷し、０．００３インチ（３ミル）または０．００４インチ（４ミル）の最終直径に延伸した。生じたフィラメントを次に順化させ、捲縮させ、約２インチの直径および約９６インチの長さのかせにした。捲縮プロセスは、個々のフィラメントを２つの捲縮ギア間に通してマイルドな波状外観をフィラメントに形成することからなった。捲縮プロセスのより詳細な説明については、参照により本明細書に援用される米国特許公報（特許文献１）を参照されたい。かせを次にラップして約９２インチ長さへカットした。約９２インチ長さのかせを次に約２．５インチカット片へカットした。カット片を次に次の方法を用いて化学的に先細にした。フィラメントを４０％濃度のＮａＯＨの苛性溶液中１２０℃で１５分間化学的に先細にした。フィラメント束周りの紙を除去し、束を非先細端または中間部分のどちらかでゴムバンドで固定した。束端を、所望の先端長さを達成するために必要される深さまで溶液中へ沈めた。１５分の終わりに、束を溶液から取り出し、７の表面ＰＨを達成するためにきれいな水で５分間リンスした。リンス後に、束を遠心分離機で３分間乾燥させた。フィラメントを次に紙およびゴムバンドで再ラップし、出荷のために包装した。（フィラメントの両端が化学的に先細にされるべきである場合には、上記方法をフィラメントの他端について繰り返す）。化学的に先細にされる方法は０．００１インチ未満の最終先端直径を生み出した。
【００３２】
ＰＢＴポリエステルを本実施例で使用したが、ナイロン、ナイロンブレンド、ナイロンコポリマー、熱可塑性エラストマーおよびポリオレフィンだけでなく他のポリエステル、ポリエステルブレンドおよびコポリマーもまた受け入れられる。さらに、参照により本明細書に援用される米国特許公報（特許文献１）に記載されているものなどの、他の化学的に先細にする方法を用いることができる。
【００３３】
それ故、本発明に従って、本明細書で上に述べられた目的および利点を完全に満たすクレー添加剤入りの化学的に先細にされた捲縮合成フィラメントが提供されたことは明らかである。本発明は、その具体的な実施形態とともに記載されてきたが、多くの代案、変更、および変形が当業者に明らかであらうことは明白である。従って、添付の特許請求の範囲の趣旨および広い範囲内に入るすべてのかかる代案、変更および変形を包含することが意図される。
【図面の簡単な説明】
【００３４】
【図１ａ】マイルドな研磨添加剤を有する化学的に先細にされた波状フィラメントの略図である。
【図１ｂ】マイルドな研磨添加剤を有する化学的に先細にされたダブルエンド波状フィラメントの略図である。
【図２】マイルドな研磨添加剤を有する化学的に先細にされた波状フィラメントのマニキュア液ブラシの略図である。
【図３】継ぎ手付き柄中のマイルドな研磨添加剤を有する化学的に先細にされた波状フィラメントの頬紅ブラシの略図である。
【図４】マイルドな研磨添加剤を有する化学的に先細にされた波状フィラメントの頬紅ブラシの略図である。
【図５】マイルドな研磨添加剤を有する化学的に先細にされた波状フィラメントのマスカラブラシの略図である。
【図６】マイルドな研磨添加剤を有する化学的に先細にされた波状フィラメントを使用するワイパーシステムおよびリザーバを示す本発明のマスカラブラシパッケージ実施形態の断面図である。
【図７】マイルドな研磨添加剤を有する化学的に先細にされた波状フィラメントを使用する本発明のマニキュア液パッケージ実施形態の断面図である。
【図１ａ】
2008527198.tif 000003
【図１ｂ】
2008527198.tif 000004
【図２】
2008527198.tif 000005
【図３】
2008527198.tif 000006
【図４】
2008527198.tif 000007
【図５】
2008527198.tif 000008
【図６】
2008527198.tif 000009
【図７】
2008527198.tif 000010
【国際調査報告】
2008527198.tif 000011
2008527198.tif 000012